(57)【要約】【課題】重力不良とタッチ不良を抑制することができる液晶表示装置用カラーフィルター基板及びその製造方法を提供する。【解決手段】液晶表示装置用カラーフィルター基板は、ブラックマトリックス（２１０、２２０）、カラーフィルター（３１０、３２０、３３０）及びボールスペーサ（４０１〜４０４）を含み、カラーフィルターとオーバーラップされて形成された領域のブラックマトリックスの厚さはボールスペーサが配置される領域のブラックマトリックスの厚さよりさらに大きく形成される。【選択図】図１
2008003552.tif 000002
【特許請求の範囲】
【請求項１】
透明絶縁基板上に形成されて画素領域を規定するブラックマトリックスと、
前記画素領域に形成されて、前記ブラックマトリックスに所定の部分がオーバーラップされて形成されたカラーフィルターと、
前記ブラックマトリックスの上部に配置されるボールスペーサと
を含み、
前記カラーフィルターとオーバーラップされて形成された領域の前記ブラックマトリックスの厚さは、前記ボールスペーサが配置される領域の前記ブラックマトリックスの厚さよりさらに大きく形成されることを特徴とする液晶表示装置用カラーフィルター基板。
【請求項２】
前記カラーフィルターとオーバーラップされて形成された領域の前記ブラックマトリックスの厚さは、前記ボールスペーサが配置される領域の前記ブラックマトリックスの厚さの１．５〜４倍であることを特徴とする請求項１に記載の液晶表示装置用カラーフィルター基板。
【請求項３】
前記カラーフィルターとオーバーラップされて形成された領域の前記ブラックマトリックスと前記ボールスペーサが配置される領域の前記ブラックマトリックスとの間には、第１角度を持つ前記ブラックマトリックスの境界領域が形成されたことを特徴とする請求項１に記載の液晶表示装置用カラーフィルター基板。
【請求項４】
前記ブラックマトリックスの境界領域の前記第１角度は、２０゜〜１６０゜であることを特徴とする請求項３に記載の液晶表示装置用カラーフィルター基板。
【請求項５】
前記カラーフィルターとオーバーラップされて形成された領域の前記ブラックマトリックスの幅は、前記ボールスペーサが配置される領域の前記ブラックマトリックスの幅の２／３０〜６／３０倍であることを特徴とする請求項１に記載の液晶表示装置用カラーフィルター基板。
【請求項６】
前記ボールスペーサは、プラスチックボールスペーサであることを特徴とする請求項１に記載の液晶表示装置用カラーフィルター基板。
【請求項７】
前記ブラックマトリックスにオーバーラップされて形成された領域の前記カラーフィルターには、第２角度を持つカラーフィルターの境界領域が形成されたことを特徴とする請求項１に記載の液晶表示装置用カラーフィルター基板。
【請求項８】
前記カラーフィルターの境界領域の前記第２角度は、２０゜〜１６０゜であることを特徴とする請求項７に記載の液晶表示装置用カラーフィルター基板。
【請求項９】
前記ブラックマトリックス及び前記カラーフィルター上に形成された保護層をさらに含むことを特徴とする請求項１に記載の液晶表示装置用カラーフィルター基板。
【請求項１０】
前記保護層は、ポリイミドで形成されることを特徴とする請求項９に記載の液晶表示装置用カラーフィルター基板。
【請求項１１】
透明絶縁基板上に画素領域を規定するブラックマトリックスを形成する段階と、
前記ブラックマトリックスに所定の部分がオーバーラップするように、前記画素領域にカラーフィルターを形成する段階と、
前記ブラックマトリックスの上部にボールスペーサを配置する段階と
を含み、
前記カラーフィルターとオーバーラップされて形成された領域の前記ブラックマトリックスの厚さは、前記ボールスペーサが配置される領域の前記ブラックマトリックスの厚さよりさらに大きく形成されることを特徴とする液晶表示装置用カラーフィルター基板の製造方法。
【請求項１２】
前記カラーフィルターとオーバーラップされて形成された領域の前記ブラックマトリックスの厚さは、前記ボールスペーサが配置される領域の前記ブラックマトリックスの厚さの１．５〜４倍であることを特徴とする請求項１１に記載の液晶表示装置用カラーフィルター基板の製造方法。
【請求項１３】
前記カラーフィルターとオーバーラップされて形成された領域の前記ブラックマトリックスと前記ボールスペーサが配置される領域の前記ブラックマトリックスとの間には、第１角度を持つ前記ブラックマトリックスの境界領域が形成されたことを特徴とする請求項１１に記載の液晶表示装置用カラーフィルター基板の製造方法。
【請求項１４】
前記ブラックマトリックスの境界領域の前記第１角度は、２０゜〜１６０゜であることを特徴とする請求項１３に記載の液晶表示装置用カラーフィルター基板の製造方法。
【請求項１５】
前記カラーフィルターとオーバーラップされて形成された領域の前記ブラックマトリックスの幅は、前記ボールスペーサが配置される領域の前記ブラックマトリックスの幅の２／３０〜６／３０倍であることを特徴とする請求項１１に記載の液晶表示装置用カラーフィルター基板の製造方法。
【請求項１６】
前記ボールスペーサは、プラスチックボールスペーサであることを特徴とする請求項１１に記載の液晶表示装置用カラーフィルター基板の製造方法。
【請求項１７】
前記ブラックマトリックスにオーバーラップされて形成された領域の前記カラーフィルターには、第２角度を持つカラーフィルターの境界領域が形成されたことを特徴とする請求項１１に記載の液晶表示装置用カラーフィルター基板の製造方法。
【請求項１８】
前記カラーフィルターの境界領域の前記第２角度は、２０゜〜１６０゜であることを特徴とする請求項１７に記載の液晶表示装置用カラーフィルター基板の製造方法。
【請求項１９】
前記ブラックマトリックス及び前記カラーフィルター上に保護層を形成する段階をさらに含むことを特徴とする請求項１１に記載の液晶表示装置用カラーフィルター基板の製造方法。
【請求項２０】
前記保護層は、ポリイミドで形成されることを特徴とする請求項１９記載の液晶表示装置用カラーフィルター基板の製造方法。
【発明の詳細な説明】
【技術分野】
【０００１】
本発明は、液晶表示装置（Ｌｉｑｕｉｄ  Ｃｒｙｓｔａｌ  Ｄｉｓｐｌａｙ：ＬＣＤ）用カラーフィルター基板及びその製造方法に関する。
【背景技術】
【０００２】
今日のような情報化社会において、電子表示装置の役目は、非常に重要になってきており、各種の電子表示装置が多様な産業分野に広く使われている。このような電子表示装置分野は、発展を繰り返し、多様化する情報化社会の要求に適応した新しい機能を持つ電子表示装置が絶え間なく開発されている。
【０００３】
一般的に、電子表示装置とは、多様な情報を視覚を通じて人間に伝達する装置を言う。すなわち、電子表示装置とは、各種の電子器機から出力される電子的情報信号を、人間の視覚で認識することができる光情報信号に変化する電子装置を言い、人間と電子器機を連結する架け橋としての役目を担う装置と言える。
【０００４】
このような電子表示装置において、光情報信号が発光現象によって表示される場合、これは発光型表示装置に分類され、反射、散乱、干渉現象などの光変調によって光情報信号が表示される場合、これは受光型表示装置と称えられる。
【０００５】
能動型表示装置と呼ばれる発光型表示装置としては、陰極線管表示装置（Ｃａｔｈｏｄｅ  Ｒａｙ  Ｔｕｂｅ：ＣＲＴ）、プラズマ表示装置（Ｐｌａｓｍａ  Ｄｉｓｐｌａｙ  Ｐａｎｅｌ：ＰＤＰ）、有機ＥＬ表示装置（Ｏｒｇａｎｉｃ  Ｅｌｅｃｔｒｏ  Ｌｕｍｉｎｅｓｃｅｎｔ  Ｄｉｓｐｌａｙ：ＯＥＬＤ）、発光ダイオード（Ｌｉｈｇｔ  Ｅｍｉｔｔｉｎｇ  Ｄｉｏｄｅ：ＬＥＤ）などをあげることができる。
【０００６】
そして、受動型表示装置と呼ばれる受光型表示装置としては、液晶表示装置（ＬＣＤ）、電子泳動表示装置（ＥｌｅｃｔｒｏＰｈｏｒｅｔｉｃ  Ｉｍａｇｅ  Ｄｉｓｐｌａｙ：ＥＰＩＤ）などをあげることができる。
【０００７】
これらは、テレビやコンピュータのモニタなどに使われているし、一番長い歴史を持つ表示装置である陰極線管表示装置は、経済性などの面で一番高いマーケットシェアを占めているが、重い重量、大きい体積及び高い消費電力などのような多くの短所を有している。
【０００８】
近年の半導体技術の急速な進歩によって、各種電子装置の低電圧化及び低電力化とともに、電子器機の小型化、薄型化及び軽量化の傾向により、新しい環境に適した電子表示装置として平板パネル型表示装置に対する要求が急激に高まっている。これによって、液晶表示装置（ＬＣＤ）、プラズマ表示装置（ＰＤＰ）、有機ＥＬ表示装置（ＯＥＬＤ）などのような平板パネル型表示装置が開発されており、このような平板パネル型表示装置の中で小型化、軽量化及び薄型化が容易であり、低い消費電力及び低い駆動電圧を持つ液晶表示装置が特に注目されている。
【０００９】
液晶表示装置は、カラーフィルター、ブラックマトリックスなどが形成されているカラーフィルター基板と、薄膜トランジスター（Ｔｈｉｎ  Ｆｉｌｍ  Ｔｒａｎｓｉｓｔｏｒ：ＴＦＴ）素子、画素電極などが形成されているアレイ基板との間に異方性誘電率を持つ液晶物質を注入し、画素電極と共通電極に互いに異なる電位を印加することで液晶物質に形成される電界の強さを調整して、液晶物質の分子配列を変更することで、カラーフィルター基板とアレイ基板との間に透過される光の量を調節し、所望の画像を表示する表示装置である。
【００１０】
このような液晶表示装置のカラーフィルター基板とアレイ基板との間には、セルギャップを一定に維持するためにスペーサが形成される。
【００１１】
スペーサは、基板の上に位置する球形のボールスペーサと、所定の形状にパターニングされて基板の上に形成されるコラムスペーサに大別できる。
【００１２】
ボールスペーサは、温度変化による膨脹係数が液晶と似ていて、任意の温度条件でも使いやすい長所はあるが、液晶表示装置に振動または衝撃が加えられると、移動するようになって液晶配向がよれるようになる。これによって、光漏れ不良を誘発するようになって、液晶表示装置のコントラスト比を低下させる原因となり得る。
【００１３】
このような問題点を解決するための代案が、基板の上にパターン化されたコラムスペーサを形成する方法である。コラムスペーサは、いろいろな形状で作ることができ、所望の位置に形成することができるので、ボールスペーサのような散布問題やスペーサ移動による光漏れ不良を抑制することができるようになる。
【００１４】
しかし、コラムスペーサが形成された液晶表示装置は、高温環境で液晶が下部重力方向に傾く重力不良が発生する問題点、あるいは、液晶表示装置に圧力が加えられて誘発されるタッチ不良の問題点があった。
【発明の開示】
【発明が解決しようとする課題】
【００１５】
したがって、本発明が解決しようとする技術的課題は、重力不良とタッチ不良を抑制することができる液晶表示装置用カラーフィルター基板及びその製造方法を提供することにある。
【００１６】
本発明が解決しようとする他の技術的課題は、スペーサ移動による光漏れ不良を抑制して、液晶表示装置のコントラスト比を向上させることができる液晶表示装置用カラーフィルター基板及びその製造方法を提供することにある。
【課題を解決するための手段】
【００１７】
前記技術的課題を果たすための本発明による液晶表示装置用カラーフィルター基板は、透明絶縁基板上に形成されて画素領域を規定するブラックマトリックスと、画素領域に形成されて、ブラックマトリックスに所定の部分がオーバーラップされて形成されたカラーフィルターと、ブラックマトリックスの上部に配置されるボールスペーサとを含み、カラーフィルターとオーバーラップされて形成された領域のブラックマトリックスの厚さは、ボールスペーサが配置される領域のブラックマトリックスの厚さよりさらに大きく形成される。
【００１８】
前記他の技術的課題を果たすための本発明による液晶表示装置用カラーフィルター基板の製造方法は、透明絶縁基板上に画素領域を規定するブラックマトリックスを形成する段階と、ブラックマトリックスに所定の部分がオーバーラップするように、画素領域にカラーフィルターを形成する段階と、ブラックマトリックスの上部にボールスペーサを配置する段階とを含み、カラーフィルターとオーバーラップされて形成された領域のブラックマトリックスの厚さは、ボールスペーサが配置される領域のブラックマトリックスの厚さよりさらに大きく形成される。
【発明の効果】
【００１９】
本発明によると、ボールスペーサとしてプラスチックボールスペーサを使って、ボールスペーサの配置の正確性を向上させながらもボールスペーサの移動を抑制することで、重力不良とタッチ不良を抑制することができ、スペーサ移動による光漏れ不良を効果的に抑制して液晶表示装置のコントラスト比を向上させることができる。
【発明を実施するための最良の形態】
【００２０】
その他、実施の形態の具体的な事項は、詳細な説明及び図面に含まれている。本発明の利点及び特徴、そしてそれらを果たす方法は、添付される図面と共に詳細に後述されている実施の形態を参照すれば明確になるであろう。明細書全体にわたって同一の参照符号は、同一の構成要素を指す。
【００２１】
図１を参照して、本発明の実施の形態による液晶表示装置用カラーフィルター基板について説明する。図１は、本発明の実施の形態１による液晶表示装置用カラーフィルター基板の断面図である。
【００２２】
図１に示すように、本発明の実施の形態１による液晶表示装置用カラーフィルター基板は、ブラックマトリックス（２１０、２２０）、カラーフィルター（３１０、３２０、３３０）、保護層（５００）及びボールスペーサ（４０１〜４０４）を含むことができる。
【００２３】
ブラックマトリックス（２１０、２２０）は、ガラスのような透明絶縁基板（１００）上に形成されて画素領域を規定する。このようなブラックマトリックス（２１０、２２０）は、クロム（Ｃｒ）やクロム酸化膜（Ｃｒ２Ｏ３）または光を吸収する黒色樹脂からなることができる。
【００２４】
カラーフィルター（３１０、３２０、３３０）は、赤色（Ｒ）画素から成って赤色を具現する赤色カラーフィルター（３１０）、緑色（Ｇ）画素から成って緑色を具現する緑色カラーフィルター（３２０）、及び青色（Ｂ）画素から成って青色を具現する青色カラーフィルター（３３０）を含む。このような赤色カラーフィルター（３１０）、緑色カラーフィルター（３２０）及び青色カラーフィルター（３３０）は、ブラックマトリックス（２１０、２２０）によって規定される画素領域に形成されて、ブラックマトリックス（２１０、２２０）に所定の部分がオーバーラップされて形成される。
【００２５】
また、赤色カラーフィルター（３１０）、緑色カラーフィルター（３２０）及び青色カラーフィルター（３３０）は、ブラックマトリックス（２１０、２２０）によって規定される画素領域に交互に形成されることができる。
【００２６】
保護層（５００）は、ブラックマトリックス（２１０、２２０）とカラーフィルター（３１０、３２０、３３０）上に形成されて顔料イオンの噴出を阻む。このような保護層（５００）は、絶縁特性を持つ物質で形成することができ、具体的には、ポリイミドで形成することができる。
【００２７】
ボールスペーサ（４０１〜４０４）は、ブラックマトリックス（２１０、２２０）の上部に配置される。カラーフィルター（３１０、３２０、３３０）とオーバーラップされて形成された領域（２１１、２１５、２２１、２２５）のブラックマトリックス（２１０、２２０）の厚さ（Ｔ２）は、ボールスペーサ（４０１〜４０４）が配置される領域（２１３、２２３）のブラックマトリックス（２１０、２２０）の厚さ（Ｔ１）よりさらに大きく形成される。
【００２８】
具体的には、カラーフィルター（３１０、３２０、３３０）とオーバーラップされて形成された領域（２１１、２１５、２２１、２２５）のブラックマトリックス（２１０、２２０）の厚さ（Ｔ２）は、ボールスペーサ（４０１〜４０４）が配置される領域（２１３、２２３）のブラックマトリックス（２１０、２２０）の厚さ（Ｔ１）の１．５〜４倍位に形成されることができる。
【００２９】
例えば、ボールスペーサ（４０１〜４０４）が配置される領域（２１３、２２３）のブラックマトリックス（２１０、２２０）を１μｍ位の厚さ（Ｔ１）で形成する場合に、カラーフィルター（３１０、３２０、３３０）とオーバーラップされて形成された領域（２１１、２１５、２２１、２２５）のブラックマトリックス（２１０、２２０）を１．５μｍ〜４μｍ位の厚さ（Ｔ２）で形成することができる。
【００３０】
これによって、液晶表示装置に振動または衝撃が加えられても、ボールスペーサ（４０１〜４０４）がブラックマトリックス（２１０、２２０）の外部に移動することを防止することができるので、液晶配向がよれて誘発される光漏れ不良を、効果的に抑制することができる。
【００３１】
また、ブラックマトリックス（２１０、２２０）とカラーフィルター（３１０、３２０、３３０）の上部を平坦化するためのオーバーコート層を形成する必要がないので、製造工程段階を効果的に減少させることができる。
【００３２】
このようなボールスペーサ（４０１〜４０４）では、弾性回復力が良いプラスチックボールスペーサを使うことができる。ボールスペーサ（４０１〜４０４）としてプラスチックボールスペーサを使う場合、液晶表示装置に加えられる圧力にしたがってプラスチックボールスペーサの直径が変わるので、タッチ不良を効果的に抑制することができる。
【００３３】
また、プラスチックボールスペーサは、液晶の熱膨脹係数に近い値を持つので、高温で透明絶縁基板（１００）が膨脹しても透明絶縁基板（１００）と共にプラスチックボールスペーサも膨脹することで、液晶表示装置のセルギャップを一定に維持して、液晶が下部重力方向に傾く重力不良を効果的に抑制することができる。
ここで、カラーフィルター（３１０、３２０、３３０）とオーバーラップされて形成された領域（２１１、２１５、２２１、２２５）のブラックマトリックス（２１０、２２０）と、ボールスペーサ（４０１〜４０４）が配置される領域（２１３、２２３）のブラックマトリックス（２１０、２２０）との間には、第１角度（θ１）を持つブラックマトリックス（２１０、２２０）の境界領域（２１２、２１４、２２２、２２４）が形成されている。
【００３４】
具体的には、ブラックマトリックス（２１０、２２０）の境界領域（２１２、２１４、２２２、２２４）の第１角度（θ１）は、２０゜〜１６０゜位に形成されることができる。また、ブラックマトリックス（２１０、２２０）にオーバーラップされて形成された領域（２１１、２１５、２２１、２２５）のカラーフィルター（３１０、３２０、３３０）には、第２角度（θ２）を持つカラーフィルター（３１０、３２０、３３０）の境界領域（３１１、３２１、３２２、３３１）が形成されている。
【００３５】
具体的には、カラーフィルター（３１０、３２０、３３０）の境界領域（３１１、３２１、３２２、３３１）の第２角度（θ２）は、２０゜〜１６０゜位に形成されることができる。これによって、インクジェット工程にボールスペーサ（４０１〜４０４）が混合しているスペーサインク粒子を噴射する場合に、ボールスペーサ（４０１〜４０４）の配置の正確性を効果的に向上させることができる。
【００３６】
一方、カラーフィルター（３１０、３２０、３３０）とオーバーラップされて形成された領域（２１１、２１５、２２１、２２５）のブラックマトリックス（２１０、２２０）の幅（Ｗ２）は、ボールスペーサ（４０１〜４０４）が配置される領域（２１３、２２３）のブラックマトリックス（２１０、２２０）の幅（Ｗ１）の２／３０〜６／３０位に形成されることができる。
【００３７】
例えば、ボールスペーサ（４０１〜４０４）が配置される領域（２１３、２２３）のブラックマトリックス（２１０、２２０）を３０μｍ位の幅（Ｗ１）で形成する場合に、カラーフィルター（３１０、３２０、３３０）とオーバーラップされて形成された領域（２１１、２１５、２２１、２２５）のブラックマトリックス（２１０、２２０）を２μｍ〜６μｍ位の幅（Ｗ２）で形成することができる。これによって、開口率を減少させないながらも、カラーフィルター（３１０、３２０、３３０）の製造工程マージンを効果的に確保することができる。
【００３８】
結局、本発明の実施の形態１による液晶表示装置用カラーフィルター基板は、ボールスペーサ（４０１〜４０４）としてプラスチックボールスペーサを使って、ボールスペーサ（４０１〜４０４）の配置の正確性を向上させるとともにボールスペーサ（４０１〜４０４）の移動を抑制することで、重力不良とタッチ不良を抑制しながらスペーサ移動による光漏れ不良を効果的に抑制することができる。
【００３９】
以下、本発明の実施の形態１による液晶表示装置用カラーフィルター基板の製造方法について、図２Ａ〜図２Ｅを参照して詳しく説明する。図２Ａ〜図２Ｅは、本発明の実施の形態１による液晶表示装置用カラーフィルター基板の製造工程段階別のそれぞれの断面図である。
【００４０】
先ず、図２Ａに示すように、ガラスのような透明絶縁基板（１００）上に画素領域（Ｐ１〜Ｐ３）を規定するブラックマトリックス（２１０、２２０）を形成する。
【００４１】
ここで、ブラックマトリックス（２１０、２２０）は、クロム（Ｃｒ）やクロム酸化膜（Ｃｒ２Ｏ３）を蒸着して形成することができ、または、光を吸収する黒色樹脂を塗布して形成することもできる。
【００４２】
ここで、カラーフィルター（３１０、３２０、３３０）とオーバーラップされる領域（２１１、２１５、２２１、２２５）のブラックマトリックス（２１０、２２０）の厚さ（Ｔ２）は、ボールスペーサ（４０１〜４０４）が配置される領域（２１３、２２３）のブラックマトリックス（２１０、２２０）の厚さ（Ｔ１）よりさらに大きく形成される。
【００４３】
具体的には、カラーフィルター（３１０、３２０、３３０）とオーバーラップされる領域（２１１、２１５、２２１、２２５）のブラックマトリックス（２１０、２２０）の厚さ（Ｔ２）は、ボールスペーサ（４０１〜４０４）が配置される領域（２１３、２２３）のブラックマトリックス（２１０、２２０）の厚さ（Ｔ１）の１．５〜４倍位に形成されることができる。
【００４４】
例えば、ボールスペーサ（４０１〜４０４）が配置される領域（２１３、２２３）のブラックマトリックス（２１０、２２０）を１μｍ位の厚さ（Ｔ１）で形成する場合に、カラーフィルター（３１０、３２０、３３０）とオーバーラップされる領域（２１１、２１５、２２１、２２５）のブラックマトリックス（２１０、２２０）を１．５μｍ〜４μｍ位の厚さ（Ｔ２）で形成することができる。
【００４５】
また、カラーフィルター（３１０、３２０、３３０）とオーバーラップされる領域（２１１、２１５、２２１、２２５）のブラックマトリックス（２１０、２２０）と、ボールスペーサ（４０１〜４０４）が配置される領域（２１３、２２３）のブラックマトリックス（２１０、２２０）との間には、第１角度（θ１）を持つブラックマトリックス（２１０、２２０）の境界領域（２１２、２１４、２２２、２２４）が形成されている。
【００４６】
具体的には、ブラックマトリックス（２１０、２２０）の境界領域（２１２、２１４、２２２、２２４）の第１角度（θ１）は、２０゜〜１６０゜位に形成されることができる。このようなブラックマトリックス（２１０、２２０）は、ハーフトーンマスクや回折マスクを利用するフォトリソグラフィ工程で効果的に形成することができる。
【００４７】
次に、図２Ｂに示すように、赤色（Ｒ）画素から成り赤色を具現する赤色カラーフィルター（３１０）、緑色（Ｇ）画素から成り緑色を具現する緑色カラーフィルター（３２０）、及び青色（Ｂ）画素から成り青色を具現する青色カラーフィルター（３３０）を含むカラーフィルターをブラックマトリックス（２１０、２２０）によって規定される画素領域（Ｐ１〜Ｐ３）に形成して、ブラックマトリックス（２１０、２２０）に所定の部分がオーバーラップして形成する。
【００４８】
ここで、赤色カラーフィルター（３１０）、緑色カラーフィルター（３２０）及び青色カラーフィルター（３３０）は、ブラックマトリックス（２１０、２２０）によって規定される画素領域（Ｐ１〜Ｐ３）に交互に形成される。
【００４９】
ここで、ブラックマトリックス（２１０、２２０）にオーバーラップされる領域（２１１、２１５、２２１、２２５）のカラーフィルター（３１０、３２０、３３０）には、第２角度（θ２）を持つカラーフィルター（３１０、３２０、３３０）の境界領域（３１１、３２１、３２２、３３１）が形成されている。具体的には、カラーフィルター（３１０、３２０、３３０）の境界領域（３１１、３２１、３２２、３３１）の第２角度（θ２）は、２０°〜１６０゜位に形成されることができる。
【００５０】
次に、図２Ｃに示すように、ブラックマトリックス（２１０、２２０）及びカラーフィルター（３１０、３２０、３３０）上に保護層（５００）を形成する。このような保護層（５００）は、絶縁特性を持つ物質で形成することができ、具体的には、ポリイミドで形成することができる。
【００５１】
次に、図２Ｄに示すように、インクジェット工程でボールスペーサ（４０１〜４０４）が混合しているスペーサインク粒子（４１０、４２０）をブラックマトリックス（２１０、２２０）の上部に噴射する。ここで、ボールスペーサ（４０１〜４０４）としては、弾性回復力が良いプラスチックボールスペーサを使うことができる。
【００５２】
次に、図２Ｅに示すように、ブラックマトリックス（２１０、２２０）の上部に噴射されたスペーサインク粒子（４１０、４２０）を乾燥させてボールスペーサ（４０１〜４０４）をブラックマトリックス（２１０、２２０）の上部に配置させる。
【図面の簡単な説明】
【００５３】
【図１】図１は本発明の実施の形態１による液晶表示装置用カラーフィルター基板の断面図である。
【図２Ａ】本発明の実施の形態１による液晶表示装置用カラーフィルター基板の製造工程段階別のそれぞれの断面図である。
【図２Ｂ】本発明の実施の形態１による液晶表示装置用カラーフィルター基板の製造工程段階別のそれぞれの断面図である。
【図２Ｃ】本発明の実施の形態１による液晶表示装置用カラーフィルター基板の製造工程段階別のそれぞれの断面図である。
【図２Ｄ】本発明の実施の形態１による液晶表示装置用カラーフィルター基板の製造工程段階別のそれぞれの断面図である。
【図２Ｅ】本発明の実施の形態１による液晶表示装置用カラーフィルター基板の製造工程段階別のそれぞれの断面図である。
【符号の説明】
【００５４】
１００  透明絶縁基板、２１０、２２０  ブラックマトリックス、３１０、３２０、３３０  カラーフィルター、４０１〜４０４  ボールスペーサ、５００  保護層
【図１】
2008003552.tif 000003
【図２Ａ】
2008003552.tif 000004
【図２Ｂ】
2008003552.tif 000005
【図２Ｃ】
2008003552.tif 000006
【図２Ｄ】
2008003552.tif 000007
【図２Ｅ】
2008003552.tif 000008